(57)【要約】      （修正有）【課題】専用充電器にそれぞれ接続しなくても様々な電子製品に同時充電可能に構成される無線充電機能付きノートブックを提供する。【解決手段】無線充電機能付きノートブックは、主に、本体１００に誘導部１０１が設けられ、誘導部に発射回路１１０が設けられ、誘導部に受信回路２１０を有する電子装置２００を設ける。発射回路により受信回路に交流信号を無線伝送方式で発送し、受信回路の二次電池２１４を充電することによって、専用充電器にそれぞれ接続しなくても様々な電子製品に同時充電可能となり、且つ、充電器の電源コードによる使用範囲への制限の問題が避けられる。【選択図】図１
0003168006.tif 000002
【実用新案登録請求の範囲】
【請求項１】
受信回路が設けられた少なくとも一つの電子装置に結合される無線充電機能付きノートブックであって、
電源ユニットを有し、前記電子装置が位置決めされた誘導部が設けられた本体と、
前記誘導部に設けられた少なくとも一つの発射回路とを備え、
前記電源ユニットは、前記発射回路に電気を供給し、前記発射回路により該電気を交流信号に変換するとともに、前記電子装置の受信回路に該交流信号を前記発射回路により発送し、前記受信回路は、該交流信号を電気に変換して充電することを特徴とする無線充電機能付きノートブック。
【請求項２】
前記本体は、ノートブックであることを特徴とする請求項１に記載の無線充電機能付きノートブック。
【請求項３】
前記本体の誘導部は、前記本体に設けられた光ディスクトレー、タッチマウスシート、カバープレート、裏板のうちいずれか一つであることを特徴とする請求項２に記載の無線充電機能付きノートブック。
【請求項４】
前記発射回路は、前記電源ユニットに接続され、前記電源ユニットからの電気を交流信号に変換する振動分周回路と、前記振動分周回路に接続され、前記振動分周回路により変換された該交流信号を増幅する駆動増幅回路と、前記駆動増幅回路に接続され、前記駆動増幅回路により増幅された該交流信号を同調させる一次発射共振回路と、前記一次発射共振回路に接続され、前記一次発射共振回路により同調された交流信号を前記受信回路に発送する発射コイルとを含むことを特徴とする請求項１に記載の無線充電機能付きノートブック。
【請求項５】
前記発射回路は、前記発射コイルに接続され、前記発射コイルからの交流信号を制御調節回路にフィードバックするフィードバック検知回路と、前記フィードバック検知回路及び前記振動分周回路に接続され、前記振動分周回路の振動頻度を調節する制御調節回路とをさらに含むことを特徴とする請求項４に記載の無線充電機能付きノートブック。
【請求項６】
前記受信回路は、前記発射回路からの交流信号を受信する受信誘導コイルと、前記受信誘導コイルに接続され、前記受信誘導コイルにより受信した該交流信号を同調する二次受信共振回路と、前記二次受信共振回路に接続され、前記二次受信共振回路により同調された該交流信号を整流、定圧されるとともに、該交流信号を電気に変換するＡＣ／ＤＣ整流平滑定電圧回路と、前記ＡＣ／ＤＣ整流平滑定電圧回路に接続され、前記ＡＣ／ＤＣ整流平滑定電圧回路により変換された電気を蓄える二次電池とを含むことを特徴とする請求項１に記載の無線充電機能付きノートブック。
【考案の詳細な説明】
【技術分野】
【０００１】
本考案は、充電装置に関し、特に、ノートパソコンなどのノートブックの関連領域に適用できる充電装置に関する。
【背景技術】
【０００２】
近年、科学技術の持続的な進歩につれて、電子製品に対する要求も高くなりつつあり、特に、消費型電子製品を重点として、従来の体積の大きい電子製品（例えば、光ディスクプレヤ、家庭用電話または卓上型パソコンなど）が携帯可能かつ効率の高い電子製品（例えば、マルチメディアプレヤ（ＭＰＥＧ  Ａｕｄｉｏ  Ｌａｙｅｒ−３；ＭＰ３）、携帯電話またはノートブックなど）にコンパクト化され、ライフスタイルがより効率的になってきた。
【０００３】
上記のマルチメディアプレヤ、携帯電話などの携帯式電子製品は、使用時に要する電気が、例えば、ニッケル水素電池やリチウム電池などの二次電池の利用が大半占められ、二次電池は、主に、充電装置により充電を行い、該充電装置は、ＡＣアダプタとプラグとを有し、ＡＣアダプタがプラグと電源コードで接続され、また、ＡＣアダプタに二次電池を収納するための充電用凹溝が設けられ、プラグが電源コンセントに差し込まれることによって、充電時に要する電圧または電流を供給するように構成されており、また、ノートブックは、ＡＣアダプタで電源コンセントに接続して、該ノートブックが必要とする電圧または電流をＡＣアダプタで供給するようになっている。
しかしながら、上記の携帯式電子製品は、ＡＣアダプタまたは二次電池によって必要とする電気を供給しなければならないので、外出の際にこれらの携帯式電子製品を利用しようとする場合には、異なるＡＣアダプタまたは専用充電器を携帯しなければならなく、外出やビジネス活動の際に持ち難くなり、使用利便性が低下する。また、上記の充電装置またはＡＣアダプタは、充電に必要の電気を電源コードで該二次電池に接続して転送されるので、使用範囲が限られることになっている。
【考案の開示】
【考案が解決しようとする課題】
【０００４】
上記を鑑みて、本考案の創作者は、専念に研究や設計、組み立てをし、携帯便利、且つ範囲制限のない無線充電機能付きノートブックの提供を期することは、本考案が創作しようとする動機である。
【０００５】
本考案は、専用充電器にそれぞれ接続しなくても様々な電子製品に同時充電可能に構成される無線充電機能付きノートブックを提供することを主な目的とする。
【０００６】
本考案は、無線充電可能で使用範囲への制限が避けられる目的を達成する無線充電機能付きノートブックを提供することを次の目的とする。
【課題を解決するための手段】
【０００７】
前記目的を達成するため、本考案による無線充電機能付きノートブックは、受信回路が設けられた少なくとも一つの電子装置に結合される無線充電機能付きノートブックであって、電源ユニットを有し、前記電子装置が位置決めされた誘導部が設けられた本体と、前記誘導部に設けられた少なくとも一つの発射回路とを備え、前記電源ユニットは、前記発射回路に電気を供給し、前記発射回路により該電気を交流信号に変換するとともに、前記電子装置の受信回路に該交流信号を前記発射回路により発送し、前記受信回路は、該交流信号を電気に変換して充電することができる。
よって、専用充電器にそれぞれ接続しなくても様々な電子製品に同時充電可能となり、且つ、充電器の電源コードによる使用範囲への制限の問題が避けられ、その使用利便性の効果が向上される。
【０００８】
本考案の特徴、特点及び技術内容をさらに深く了解を得るため、以下の本考案に係る詳細説明及び添付図面を参照すれば得られるが、前記添付図面は参考や説明のみ提供され、本考案を局限するものではない。
【図面の簡単な説明】
【０００９】
【図１】図１は本考案による無線充電機能付きノートブックの第１実施例を示す斜視図である。
【図２】図２は本考案による無線充電機能付きノートブックの第１実施例を示す使用状態図である。
【図３】図３は本考案による無線充電機能付きノートブックの第１実施例を示す回路ブロック図である。
【図４】図４は本考案による無線充電機能付きノートブックの第２実施例を示す斜視図である。
【図５】図５は本考案による無線充電機能付きノートブックの第２実施例を示す使用状態図である。
【考案を実施するための形態】
【００１０】
＜第１実施例＞
図１〜図３は、それぞれ、本考案による無線充電機能付きノートブックの第１実施例を示す斜視図、使用状態図及びその回路ブロック図である。図１〜図３に示すように、無線充電機能付きノートブックは、本体１００に発射回路１１０が設けられ、ユーザは、受信回路２１０が設けられた電子装置２００を本体１００に位置決めすることによって、無線伝送方式で充電動作を行うことができる。
【００１１】
本体１００は、電源ユニット１２０を有するノートブックであり、且つ、本体１００に誘導部１０１が設けられ、本体１００の光ディスクトレー、タッチマウスシート、カバープレート、裏板または本体１００のあらゆる場所に誘導部１０１が設けられ、誘導部１０１に発射回路１１０が設けられ、電源ユニット１２０は、発射回路１１０に電気を供給し、発射回路１１０により該電気を交流信号に変換するとともに、電子装置２００の受信回路２１０に該交流信号を発射回路１１０により発送し、受信回路２１０は、該交流信号を電気に変換して電気を蓄えて電子装置２００に供給する。
【００１２】
発射回路１１０は、電源ユニット１２０に接続する振動分周回路１１１と、振動分周回路１１１に接続する駆動増幅回路１１２と、駆動増幅回路１１２に接続する一次発射共振回路１１３と、一次発射共振回路１１３に接続する発射コイル１１４とを含み、振動分周回路１１１により電源ユニット１２０からの電気を交流信号に変換し、該交流信号が駆動増幅回路１１２により増幅された後に、増幅された交流信号が一次発射共振回路１１３により同調され、さらに、発射コイル１１４から受信回路１３０に伝送する。
【００１３】
また、発射回路１１０は、さらに、発射コイル１１４に接続するフィードバック検知回路１１５と、フィードバック検知回路１１５及び振動分周回路１１１に接続する制御調節回路１１６とを含み、フィードバック検知回路１１５により発射コイル１１４からの交流信号を制御調節回路１１６にフィードバックして、振動分周回路１１１の振動頻度を制御調節回路１１６により調節し、最適な同調品質を取得する。
【００１４】
該電子装置２００は、マルチメディアプレヤ、携帯電話まなどの携帯式電子製品であって、電子装置２００に設けられた受信回路２１０は、受信誘導コイル２１１と、受信誘導コイル２１１に接続する二次受信共振回路２１２と、二次受信共振回路２１２に接続するＡＣ／ＤＣ整流平滑定電圧回路２１３と、ＡＣ／ＤＣ整流平滑定電圧回路２１３に接続する二次電池２１４とを含み、受信誘導コイル２１１により発射回路１１０からの交流信号を受信して、該交流信号が二次受信共振回路２１２により同調されるとともに、該交流信号がＡＣ／ＤＣ整流平滑定電圧回路２１３により整流、定圧され、該交流信号を電気に変換させて、二次電池２１４により電気を蓄えて電子装置２００に電気を供給する。
【００１５】
本実施例では、本体１００は、ノートブック（Ｎｏｔｅｂｏｏｋ；ＮＢ）であり、本体１００の伸縮式光ディスクトレーに誘導部１０１が設けられ、誘導部１０１に発射回路１１０が設けられ、ユーザが電子装置２００（例えば、携帯電話）を充電しようとするとき、電子装置２００を誘導部１０１に位置決めさせ、電源ユニット１２０を電源コンセント３００に差し込んで、電源ユニット１２０により発射回路１１０に電気を供給し、該電気が交流信号に発射回路１１０により変換されるとともに、該発射回路１１０の発射コイル１１４を介して、各電子装置２００に設けられた受信回路２１０に該交流信号を発送し、受信回路２１０の二次電池２１４を充電して電子装置２００に電気を供給することによって、専用充電器にそれぞれ接続しなくても様々な電子製品に同時充電可能となり、且つ、充電器の電源コードによる使用範囲への制限の問題が避けられ、その使用利便性が向上される。
【００１６】
＜第２実施例＞
図４〜図５は、それぞれ、本考案による無線充電機能付きノートブックの第２実施例を示す斜視図及びその使用状態図である。図４〜図５に示すように、本実施例が第１実施例と同一であり、主に、本体１００のタッチマウスシートに本体１００の誘導部１０１が設けられ、本体１００の誘導部１０１に電子装置２００を位置決めして、各電子装置２００を即時に充電でき、ユーザが使用しないときに、元のマウスタッチ機能に復元される点で異なっている。
【００１７】
以上のように、本考案による無線充電機能付きノートブックは、本体１００のいずれか一つの場所に誘導部１０１が設けられ、誘導部１０１に発射回路１１０が設けられ、ユーザが受信回路２１０を有する電子装置２００を充電しようとするとき、電子装置２００を誘導部１０１に位置決めさせ、発射回路１１０により受信回路２１０に交流信号を無線伝送方式で発送し、受信回路２１０の二次電池２１４を充電し、電気を蓄えて電子装置２００に供給することによって、専用充電器にそれぞれ接続しなくても様々な電子製品に同時充電可能となり、且つ、充電器の電源コードによる使用範囲への制限の問題が避けられ、その使用利便性が向上される。
【００１８】
以上のように単に本考案の好ましい実施例に過ぎず、本考案の実用新案登録請求の範囲を局限するものではなく、いずれの当該分野における通常の知識を有する専門家は、本考案の分野の中で、適当に変更や修飾などを実施できるが、それらの実施が本考案の主張範囲内に納入されるべきことは言うまでもないことである。
【符号の説明】
【００１９】
１００・・・・・本体
１０１・・・・・誘導部
１１０・・・・・発射回路
１１１・・・・・振動分周回路
１１２・・・・・駆動増幅回路
１１３・・・・・一次発射共振回路
１１４・・・・・発射コイル
１１５・・・・・フィードバック検知回路
１１６・・・・・制御調節回路
１２０・・・・・電源ユニット
２００・・・・・電子装置
２１０・・・・・受信回路
２１１・・・・・受信誘導コイル
２１２・・・・・二次受信共振回路
２１３ＡＣ／ＤＣ・・・整流平滑定電圧回路
２１４・・・・・二次電池
３００・・・・・電源コンセント
【図１】
0003168006.tif 000003
【図２】
0003168006.tif 000004
【図３】
0003168006.tif 000005
【図４】
0003168006.tif 000006
【図５】
0003168006.tif 000007